(57)【要約】【課題】電気掃除機本体に収納され塵埃を収集する集塵容器において、その底部に設けた蓋部を開成する、蓋解除ボタンの誤操作を防止すること。【解決手段】掃除機本体に着脱自在に収納されるとともに塵埃が流入する開口部５を有して前記塵埃を捕集する集塵容器４と、前記集塵容器４の一部に設けられた開閉自在な蓋６と、前記集塵容器４に設けられ前記蓋６を開成する蓋解除ボタン８とを備え、前記集塵容器４を前記掃除機本体に収納した状態で、使用者が前記蓋解除ボタン８を操作できない構成としたもので、集塵容器４を掃除機本体から取り出す前に蓋解除ボタン８に指が触れて、既に蓋６が開いているにも関わらず、開いていることに気づかないまま集塵容器４を掃除機本体から取り出そうとして、集塵容器４内の塵埃が室内等にこぼれ落ちることを防止できる。【選択図】図２
2006212182.tif 000002
【特許請求の範囲】
【請求項１】
電気掃除機本体に着脱自在に収納されるとともに塵埃が流入する開口部を有して前記塵埃を捕集する集塵容器と、前記集塵容器の一部に設けられた開閉自在な蓋と、前記集塵容器に設けられ前記蓋を開成する蓋解除ボタンとを備え、前記集塵容器を前記電気掃除機本体に収納した状態で、使用者が前記蓋解除ボタンを操作できない構成とした電気掃除機。
【請求項２】
蓋解除ボタンによる蓋の開成は、前記蓋解除ボタンを押し操作して行う構成とし、前記集塵容器を電気掃除機本体に収納した際に、前記電気掃除機本体の前記蓋解除ボタンの操作方向と対峙する部分と前記蓋解除ボタンとの隙間に、指を挿入できなくした請求項１に記載の電気掃除機。
【請求項３】
蓋解除ボタンの近傍に、集塵容器を持ち運びするための取っ手部を設けた請求項１または２に記載の電気掃除機。
【発明の詳細な説明】
【技術分野】
【０００１】
本発明は、着脱自在の集塵容器を有する電気掃除機に関するものである。
【背景技術】
【０００２】
従来のこの種の電気掃除機について図４を用いて説明する。図４は、従来の電気掃除機斜視図である。
【０００３】
図４において、掃除機本体１０１はケース１０２とカバー部材１０３とから構成されている。ケース１０２には、集塵容器１０９を載置する載置部（図示せず）が形成されている。集塵容器１０９は、容器本体１１８と、容器本体１１８の底部近傍に設けた開閉可能な蓋（図示せず）と、前記蓋を閉状態に保持するクランプ機構（図示せず）が設けられている。
【０００４】
集塵容器１０９に設けた持ち運び用の取っ手部１２０の上部には、蓋解除ボタン１３４が設けられており、この蓋解除ボタン１３４を押すことでクランプ解除バー（図示せず）を介してクランプ機構（図示せず）が解除され、蓋が開放される。集塵容器１０９をケース１０２に載置した状態でカバー部材１０３を閉じると、蓋解除ボタン１３４はカバー部材１０３により覆われる（例えば、特許文献１参照）。
【特許文献１】特開２００３−０１９０９５号公報
【発明の開示】
【発明が解決しようとする課題】
【０００５】
しかしながら、上記従来の電気掃除機の構成では、カバー部材１０３を開くと蓋解除ボタン１３４に手が触れるため、集塵容器１０９を本体１０１から取り出す前に、蓋解除ボタン１３４をうっかり押して、クランプ機構が解除されたのを知らずに、本体１０１から集塵容器１０９を取り外した時に、蓋が開いて、せっかく捕集したごみが不用意に集塵容器１０９から排出されてしまうという課題があった。
【０００６】
本発明は、上記従来の課題を解決するもので、集塵容器の蓋開閉の誤操作を防止し、使用性の高い電気掃除機を提供する事を目的とする。
【課題を解決するための手段】
【０００７】
前記従来の課題を解決するために、本発明の電気掃除機は、電気掃除機本体に着脱自在に収納されるとともに塵埃が流入する開口部を有して前記塵埃を捕集する集塵容器と、前記集塵容器の一部に設けられた開閉自在な蓋と、前記集塵容器に設けられ前記蓋を開成する蓋解除ボタンとを備え、前記集塵容器を前記電気掃除機本体に収納した状態で、使用者が前記蓋解除ボタンを操作できない構成としたもので、集塵容器を掃除機本体に収納された状態では、蓋解除ボタンを操作できなくしたため、集塵容器を掃除機本体から取り出す前に蓋解除ボタンに指が触れて、既に蓋が開いているにも関わらず、開いていることに気づかないまま集塵容器を掃除機本体から取り出そうとして、集塵容器内の塵埃が室内等にこぼれ落ちることを防止できる。
【発明の効果】
【０００８】
本発明の電気掃除機は、集塵容器を掃除機本体に収納した状態で、誤操作により、集塵容器の底部に設けた塵埃排出用の蓋部を開成することを防止でき、使用性に優れたものである。
【発明を実施するための最良の形態】
【０００９】
第１の発明は、電気掃除機本体に着脱自在に収納されるとともに塵埃が流入する開口部を有して前記塵埃を捕集する集塵容器と、前記集塵容器の一部に設けられた開閉自在な蓋と、前記集塵容器に設けられ前記蓋を開成する蓋解除ボタンとを備え、前記集塵容器を前記電気掃除機本体に収納した状態で、使用者が前記蓋解除ボタンを操作できない構成としたもので、集塵容器を掃除機本体に収納された状態では、蓋解除ボタンを操作できなくしたため、集塵容器を掃除機本体から取り出す前に蓋解除ボタンに指が触れて、既に蓋が開いているにも関わらず、開いていることに気づかないまま集塵容器を掃除機本体から取り出そうとして、集塵容器内の塵埃が室内等にこぼれ落ちることを防止できる。
【００１０】
第２の発明は、第１の発明の蓋解除ボタンによる蓋の開成は、前記蓋解除ボタンを押し操作して行う構成とし、前記集塵容器を電気掃除機本体に収納した際に、前記電気掃除機本体の前記蓋解除ボタンの操作方向と対峙する部分と前記蓋解除ボタンとの隙間に、指を挿入できなくしたもので、簡単な構成で、集塵容器が本体に収納されているときに、蓋解除ボタンが操作されるのを防止することができる。
【００１１】
第３の発明は、第１または第２の発明の蓋解除ボタンの近傍に、集塵容器を持ち運びするための取っ手部を設けたもので、集塵容器の持ち運びと蓋解除ボタンの開成操作を片手で行うことが容易となり、また集塵容器の本体からの取り出し動作から連続して塵埃の排出を行う際にも持ち替え動作が不要となり、使用性が向上する。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気掃除機の本体側面図、図２は、同電気掃除機の要部断面図、図３は、同電気掃除機の集塵容器の使用者による保持状態を示す側面図である。
【００１４】
図において、電気掃除機本体（以下、「本体」と称す）１には、塵埃を捕集する集塵容器４を着脱自在に収納する収納部２が設けられており、その上部がカバー３によって開閉自在に覆われている。集塵容器４の前部には、集塵容器４を本体１に取り付けた際に本体１に設けられた吸気口１ａと連通する位置に開口部５が設けられている。集塵容器４の底部には蓋６が設けられており、蓋６の後部は、ヒンジ部６ａを介して集塵容器４に回動自在に軸支され、前部に設けられたフック部６ｂが集塵容器４側に回動自在に保持されたクランプ７によって係止、されることで蓋６を閉状態に保持、あるいは同クランプ７を解除することで蓋６を開状態とすることができる。
【００１５】
クランプ７は、開口部５の上部に設けた蓋解除ボタン８を押すことにより、リンク９を介して解除動作がなされるので、集塵容器４内に捕集した塵埃を排出するときは、集塵容器４をゴミ箱（図示せず）の上に持って行き、蓋解除ボタン８を押すことにより、クランプ７が解除され蓋６が開成して完了する。また、クランプ７と蓋解除ボタン８は、それぞれバネＡ１０ａとバネＢ１０によって蓋６を閉状態に保持する向きに付勢されているので、蓋解除ボタン８から手を離すと、クランプ７は自動的に蓋６を閉状態に保持する位置に戻り、蓋６を閉状態まで回動することで再び係止、保持される。
【００１６】
蓋解除ボタン８の操作面８ａは、集塵容器４の前面側に設けられており、本体１には、集塵容器４を収納した状態で操作面８ａと相対する部分に壁部１ｂが設けられている。操作面８ａと壁部１ｂの距離ｄは、使用者の指の太さ（厚み）に対して充分に狭く設定されている。
【００１７】
集塵容器４の天面には、蓋解除ボタン８の近傍から後方に向かって、持ち運び用の取っ手部１２が延設される。なお、取っ手部１２の前部１２ａすなわち開口部５側は、後部１２ｂに対して低く構成されている。
【００１８】
以上のように構成された電気掃除機について、以下その動作、作用を説明する。
【００１９】
図２において、集塵容器４は、本体１に収納された状態であり、使用者がこの集塵容器４内に捕集された塵埃をごみ箱（図示せず）に排出する時は、まず集塵容器４の上部に形成された取っ手部１２を保持し、上方へ引き抜く。このときの手の向きは、図３に破線で示すように、親指が蓋解除ボタン８に近くなる向きとすることで、使用者は集塵容器４を本体１から取り出した後、取っ手部１２の近傍に設けられた蓋解除ボタン８を反対の手を用いることも、或いは持ち替え動作をすることもなく片手で操作することができる。
【００２０】
なお、図２に示すように、集塵容器４が本体１に収納された状態では、本体１の壁部１ｂにより、使用者は指を、蓋解除ボタン８の操作面８ａ上に置くことができないので、集塵容器４を本体１より引き抜く際に誤って蓋解除ボタン８を押してしまう、といったことがない。
【００２１】
また、蓋解除ボタン８は、集塵容器４の開口部５近傍に設けられ、取っ手部１２は、この部分より後方に向かって延設され、かつ前下がりとなるよう傾斜しているので、片手で取っ手部１２を保持し、かつ蓋解除ボタン８を操作することが可能な向きに集塵容器４を保持することで、開口部５は自然と図３のように斜め上方を向き易くなり、従って本体１から取り外した後、集塵容器４単体を持ち歩くようなことがあっても、開口部５に集塵容器４内に捕集した塵埃が逆流するような状況が発生しにくく、不用意に塵埃が開口部５から床面などにこぼすようなこともない。
【００２２】
以上のように、本実施の形態によれば、本体１内に集塵容器４を収納した際に、本体１の集塵容器４周辺を囲う壁部１ｂに相対する集塵容器４側の一面に蓋解除ボタン８を設け、かつ集塵容器４を本体１に収納した状態で、前記壁部１ｂと蓋解除ボタン８との距離を指が挿入できない程度に充分に短い距離に設定するという、簡易な構造で、蓋解除ボタン８が誤操作されるのを防止することが出来るため、製品の重量、コストを削減し、低価格でありながら使用性の高い電気掃除機を提供することができる。
【産業上の利用可能性】
【００２３】
以上のように、本発明にかかる電気掃除機は、簡単な構成で、蓋解除ボタンの誤操作を防止することができ、使用性に優れたもので、家庭用、業務用、店舗用の各種電気掃除機に適用できるものである。
【図面の簡単な説明】
【００２４】
【図１】本発明の第１の実施の形態における電気掃除機の本体側面図
【図２】同電気掃除機の要部断面図
【図３】同電気掃除機の集塵容器の使用者による保持状態を示す側面図
【図４】従来の電気掃除機の斜視図
【符号の説明】
【００２５】
１  電気掃除機本体
４  集塵容器
５  開口部
６  蓋
８  蓋解除ボタン
１２  取っ手部
【図１】
2006212182.tif 000003
【図２】
2006212182.tif 000004
【図３】
2006212182.tif 000005
【図４】
2006212182.tif 000006